(57)【要約】【課題】菌により洗剤混合タンク内が汚染されることを防止することができる浴槽洗浄装置を提案すること。【解決手段】浴槽洗浄装置は、洗剤と水とを混合して洗剤水を生成する洗剤混合タンクと、浴槽に洗剤水または水を噴射する洗浄ノズルと、給水源と洗剤混合タンクとを接続する給水流路と、を備えている。洗剤混合タンクは、その内部の液体の給水流路への逆流を防止するオーバーフロー流路を備えている。オーバーフロー流路は、洗剤混合タンク内への菌の侵入を防ぐ菌侵入防止手段を備えている。【選択図】図５
2020069065.tif 000002
【特許請求の範囲】
【請求項１】
洗剤を貯留する洗剤タンクと、
前記洗剤タンクから供給される洗剤と、給水源から供給される水とを混合して洗剤水を生成する洗剤混合タンクと、
浴槽に前記洗剤水または前記水を噴射する洗浄ノズルと、
前記洗剤タンクと前記洗剤混合タンクとを接続する洗剤流路と、
前記給水源と前記洗剤混合タンクとを接続する給水流路と、
前記洗剤混合タンクと前記洗浄ノズルとを接続する洗浄流路と、
を備え、
前記洗剤混合タンクは、その内部の液体の前記給水流路への逆流を防止するオーバーフロー流路を備え、
前記オーバーフロー流路は、前記洗剤混合タンク内への菌の侵入を防ぐ菌侵入防止手段を備えている浴槽洗浄装置。
【請求項２】
前記菌侵入防止手段は、前記オーバーフロー流路内に形成された封水により構成されている請求項１記載の浴槽洗浄装置。
【請求項３】
前記給水流路は、前記洗剤混合タンク内に水を供給する第１の流路と、前記オーバーフロー流路に水を供給する第２の流路と、の少なくとも２つの流路に分岐するように分岐部を備えている請求項２記載の浴槽洗浄装置。
【請求項４】
前記給水流路を介して前記洗剤混合タンク内に給水する際に、所定量の水をオーバーフローさせて前記オーバーフロー流路へ供給する制御部をさらに備えた請求項２記載の浴槽洗浄装置。
【請求項５】
前記給水流路に設けられ、前記給水流路を開閉する給水弁と、
前記洗浄流路に設けられ、前記洗浄ノズルに前記洗剤混合タンク内の水または洗剤水を供給するポンプと、
をさらに備え、
前記制御部は、前記給水流路を介して前記洗剤混合タンク内に給水する際に、前記給水弁および前記ポンプを制御することで所定量の水をオーバーフローさせて前記オーバーフロー流路へ供給する請求項４記載の浴槽洗浄装置。
【請求項６】
前記給水流路に設けられ、前記給水流路を開閉する給水弁と、
前記洗浄流路に設けられ、前記洗浄流路を開閉する供給弁と、
をさらに備え、
前記制御部は、前記給水流路を介して前記洗剤混合タンク内に給水する際に、前記給水弁および前記供給弁を制御することで所定量の水をオーバーフローさせて前記オーバーフロー流路へ供給する請求項４記載の浴槽洗浄装置。
【発明の詳細な説明】
【技術分野】
【０００１】
本発明は、浴槽洗浄装置に関する。
【背景技術】
【０００２】
従来の自動浴槽洗浄は、洗浄力の点から、十分に汚れを落とすためには入浴当日の洗浄が推奨される。このため、いつでも手軽に洗い立ての浴槽に浸かれるような自動浴槽洗浄が求められている。しかし、このようなニーズを実現するためには、翌日の頑固な汚れを落とすための洗浄力の向上が必要である。
【０００３】
また、従来の自動浴槽洗浄技術においては、水道の圧力をそのまま利用する水道直圧が用いられてきた。このため、自動浴槽洗浄技術を普及させるためには、このような水圧の制約を回避する必要がある。
【先行技術文献】
【特許文献】
【０００４】
【特許文献１】特開平４−２６９９３５号公報
【発明の概要】
【発明が解決しようとする課題】
【０００５】
浴槽洗浄装置において、洗剤を水で希釈した洗剤水を生成するために、洗剤混合タンクを設けることが知られている（例えば、特許文献１）。この場合、洗剤混合タンクの上流側（上水や給湯器側）の流路に洗剤混合タンク内の洗剤水が逆流しないように逆流防止手段が必要となる。その逆流防止手段として、洗剤混合タンクにオーバーフロー流路を設けることが考えられる。
【０００６】
しかし、オーバーフロー流路を介して外部から菌が侵入するおそれがある。オーバーフロー流路から菌が侵入すると洗剤混合タンク内が汚染され、洗剤水も汚染されてしまう。その結果、汚染された洗剤水を浴槽内に散布することになり、浴槽の洗浄効果が得られなくなる。
【０００７】
本発明は上記課題に鑑み、菌により洗剤混合タンク内が汚染されることを防止することができる浴槽洗浄装置を提案することを目的とする。
【課題を解決するための手段】
【０００８】
第１の発明の浴槽洗浄装置は、洗剤を貯留する洗剤タンクと、前記洗剤タンクから供給される洗剤と、給水源から供給される水とを混合して洗剤水を生成する洗剤混合タンクと、浴槽に前記洗剤水または前記水を噴射する洗浄ノズルと、前記洗剤タンクと前記洗剤混合タンクとを接続する洗剤流路と、前記給水源と前記洗剤混合タンクとを接続する給水流路と、前記洗剤混合タンクと前記洗浄ノズルとを接続する洗浄流路と、を備えている。前記洗剤混合タンクは、その内部の液体の前記給水流路への逆流を防止するオーバーフロー流路を備えている。前記オーバーフロー流路は、前記洗剤混合タンク内への菌の侵入を防ぐ菌侵入防止手段を備えている。
第１の発明によれば、オーバーフロー流路により、洗剤混合タンク内の液体が給水流路に逆流することを防止できる。さらに、菌侵入防止手段により、洗剤混合タンク内への菌の侵入を防止できる。この結果、菌で汚染された液体（洗剤水または水）を浴槽内に噴射することを防止できる。
第２の発明は、第１の発明において、前記菌侵入防止手段は、前記オーバーフロー流路内に形成された封水により構成されていることを特徴とする。
第２の発明によれば、オーバーフロー流路の一部を水で塞ぐという簡易な構成により、外部からのオーバーフロー流路を通じた洗剤混合タンク内への菌の侵入を防止し、洗剤混合タンク内が汚染されることを防ぐことができる。
第３の発明は、第２の発明において、前記給水流路は、前記洗剤混合タンク内に水を供給する第１の流路と、前記オーバーフロー流路に水を供給する第２の流路と、の少なくとも２つの流路に分岐するように分岐部を備えていることを特徴とする。
第３の発明によれば、第１の流路を通じた洗剤混合タンク内への給水の有無によらず、第２の流路を通じて水をオーバーフロー流路に流入させることができる。その流入した水でオーバーフロー流路内の封水を置換し、清潔な状態に保つことができる。その結果、洗剤混合タンク内への菌の侵入を防止しつつ、オーバーフロー流路の排出性能の低下を抑制することができる。
第４の発明は、第２の発明において、前記給水流路を介して前記洗剤混合タンク内に給水する際に、所定量の水をオーバーフローさせて前記オーバーフロー流路へ供給する制御部をさらに備えたことを特徴とする。
第４の発明によれば、給水源からの水の給水時にオーバーフロー流路内にも水を流入させることができる。その流入した水でオーバーフロー流路内の封水を置換し、清潔な状態に保つことができる。その結果、洗剤混合タンク内への菌の侵入を防止しつつ、オーバーフロー流路の排出性能の低下を抑制することができる。
第５の発明は、第４の発明において、前記給水流路に設けられ、前記給水流路を開閉する給水弁と、前記洗浄流路に設けられ、前記洗浄ノズルに前記洗剤混合タンク内の水または洗剤水を供給するポンプと、をさらに備え、前記制御部は、前記給水流路を介して前記洗剤混合タンク内に給水する際に、前記給水弁および前記ポンプを制御することで所定量の水をオーバーフローさせて前記オーバーフロー流路へ供給することを特徴とする。
第５の発明によれば、制御部は、給水流路を介して洗剤混合タンク内に給水する際に、給水弁およびポンプを制御することで所定量の水をオーバーフローさせてオーバーフロー流路へ供給する。その供給された水でオーバーフロー流路内の封水を置換し、清潔な状態に保つことができる。その結果、洗剤混合タンク内への菌の侵入を防止しつつ、オーバーフロー流路の排出性能の低下を抑制することができる。
第６の発明は、第４の発明において、前記給水流路に設けられ、前記給水流路を開閉する給水弁と、前記洗浄流路に設けられ、前記洗浄流路を開閉する供給弁と、をさらに備え、前記制御部は、前記給水流路を介して前記洗剤混合タンク内に給水する際に、前記給水弁および前記供給弁を制御することで所定量の水をオーバーフローさせて前記オーバーフロー流路へ供給することを特徴とする。
第６の発明によれば、制御部は、給水流路を介して洗剤混合タンク内に給水する際に、給水弁および供給弁を制御することで所定量の水をオーバーフローさせてオーバーフロー流路へ供給する。その供給された水でオーバーフロー流路内の封水を置換し、清潔な状態に保つことができる。その結果、洗剤混合タンク内への菌の侵入を防止しつつ、オーバーフロー流路の排出性能の低下を抑制することができる。
【発明の効果】
【０００９】
本発明の浴槽洗浄装置によれば、洗剤混合タンク内の洗剤水が給水流路等に逆流することを防止するとともに、菌により洗剤混合タンク内が汚染されることを防止することができる。
【図面の簡単な説明】
【００１０】
【図１】実施形態の浴槽洗浄装置のシステム図である。
【図２】実施形態の洗剤混合タンクの斜視図である。
【図３】実施形態の洗剤混合タンクの斜視図である。
【図４】実施形態の洗剤混合タンクの蓋を外した状態の斜視図である。
【図５】実施形態の洗剤混合タンクの断面図である。
【図６】実施形態の洗剤混合タンク内の水の水位変化を模式的に表す断面図である。
【図７】実施形態の洗剤混合タンク内の水の水位変化を模式的に表す断面図である。
【図８】実施形態の洗剤混合タンク内の洗剤の水位変化を模式的に表す断面図である。
【図９】実施形態の洗剤混合タンク内の洗剤水の水位変化を模式的に表す断面図である。
【図１０】実施形態の洗剤混合タンク内の洗剤水の水位変化を模式的に表す断面図である。
【図１１】実施形態の洗剤混合タンクにおける封水の置換動作を模式的に表す断面図である。
【図１２】実施形態の洗剤混合タンクにおける封水の置換動作を模式的に表す断面図である。
【図１３】実施形態の洗剤混合タンクにおける封水の置換動作を模式的に表す断面図である。
【発明を実施するための形態】
【００１１】
以下、添付図面を参照しながら本発明の実施の形態の１つについて説明する。説明の理解を容易にするため、各図面において同一の構成要素に対しては可能な限り同一の符号を付して、重複する説明は省略する。
【００１２】
図１は、実施形態の浴槽洗浄装置２００のシステム図である。
【００１３】
実施形態の浴槽洗浄装置２００は、洗剤タンク１３と、洗剤混合タンク３０と、洗浄ノズル２５と、制御部２０とを有する。浴槽洗浄装置２００は、浴槽１００に設置される。
【００１４】
洗剤タンク１３は、例えば浴槽１００のリムの上面に設けられた洗剤投入口１１と接続されており、洗剤投入口１１から投入された液体の洗剤を貯留する。洗剤タンク１３内には、例えばフロートスイッチなどの水位検知手段１２が設けられる。
【００１５】
洗剤混合タンク３０は、洗剤タンク１３及び給水源ＷＳの下流に設けられる。洗剤混合タンク３０は、洗剤タンク１３から供給される洗剤と、給水源ＷＳから供給される水とを混合して洗剤水を生成する。なお、本願明細書において「水」という場合には、冷水のみならず、加熱されたお湯も含むものとする。つまり、給水源ＷＳは、例えば、給湯器であってもよい。洗浄ノズル２５から洗剤水を噴射する際には洗剤混合タンク３０は洗剤水を貯留し、洗浄ノズル２５から水を噴射する際には洗剤混合タンク３０は水を貯留する。
【００１６】
洗剤流路１５が、洗剤タンク１３と洗剤混合タンク３０とを接続している。洗剤流路１５の途中には、例えば、開閉弁１４と、流量調整部１６と、ポンプ１７とが設けられている。
【００１７】
開閉弁１４は、例えば電磁弁であり、制御部２０の制御に基づいて洗剤流路１５を開閉する。流量調整部１６は、例えば、開閉弁１４の下流に設けられる。流量調整部１６は、例えば、オリフィスである。流量調整部１６は、洗剤流路１５を流れる洗剤の流量を調整する。流量調整部１６は、必要に応じて設けられ、省略可能である。
【００１８】
ポンプ１７は、例えば、開閉弁１４及び流量調整部１６の下流に設けられる。開閉弁１４が開かれ、ポンプ１７が駆動されると、洗剤タンク１３内の洗剤が洗剤流路１５を流れて洗剤混合タンク３０内に供給される。
【００１９】
給水流路２４が、給水源ＷＳと洗剤混合タンク３０とを接続している。給水流路２４の途中には、例えば、給水弁２２と、流量調整部２３とが設けられている。
【００２０】
給水弁２２は、例えば電磁弁であり、制御部２０の制御に基づいて給水流路２４を開閉する。給水弁２２は、洗剤混合タンク３０への水の供給を制御する。給水弁２２を開くことで、水が給水源ＷＳから洗剤混合タンク３０に供給される。給水弁２２を閉じることで、給水源ＷＳから洗剤混合タンク３０への水の供給が停止される。
【００２１】
流量調整部２３は、例えば、給水弁２２の下流に設けられる。流量調整部２３は、例えば定流量弁であり、給水流路２４を流れる水の流量を調整する。
【００２２】
浴槽１００の底面１０１には、排水口１０２および洗浄ノズル２５が設けられている。洗浄ノズル２５は、浴槽１００の内壁面に向けて、液体（洗剤水または水）を噴射する。例えば、洗浄ノズル２５は、モータ２６によって水平方向に回転可能となっている。
【００２３】
洗浄流路２１が、洗剤混合タンク３０と洗浄ノズル２５とを接続している。洗浄流路２１の途中には、例えば、ポンプ１８と、供給弁１９とが設けられている。
【００２４】
ポンプ１８は、洗剤混合タンク３０の下流に設けられ、洗剤混合タンク３０内の液体（洗剤水または水）を吸い込み、洗浄流路２１に吐出する。洗浄流路２１に吐出された液体は、洗浄ノズル２５から浴槽１００内に噴射される。
【００２５】
供給弁１９は、例えばポンプ１８の下流に設けられる。供給弁１９は、逆止弁または電磁弁であり、浴槽１００に貯留された浴槽水や、浴槽１００内に噴射された液体（洗剤水または水）の、洗浄ノズル２５および洗浄流路２１を通じた洗剤混合タンク３０への逆流を阻止する。
【００２６】
制御部２０は、開閉弁１４、給水弁２２、ポンプ１７、およびポンプ１８と電気的に接続され、それらを制御する。また、制御部２０は、洗剤混合タンク３０内に設けられた後述する水位検知手段６０の検知結果（検知信号）の入力を受ける。この検知結果（検知信号）に基づいて、制御部２０は、開閉弁１４、給水弁２２、ポンプ１７、およびポンプ１８を制御することができる。また、供給弁１９が電磁弁である場合には、供給弁１９は、制御部２０と電気的に接続され、制御部２０によって制御される。
【００２７】
次に、洗剤混合タンク３０について説明する。
【００２８】
図２は、洗剤混合タンク３０の上側から見た斜視図である。
図３は、洗剤混合タンク３０の下側から見た斜視図である。
図４は、洗剤混合タンク３０の蓋を外した状態の斜視図である。
図５は、洗剤混合タンク３０の断面図である。
【００２９】
洗剤混合タンク３０は、ケース３１と蓋３２とを有する。図２および図５に示すように、蓋３２には、洗剤流路１５と接続される洗剤供給部３４と、給水流路２４と接続される給水部３５とが設けられている。ケース３１の底部には、図２および図３に示すように、洗浄流路２１と接続される液体流出部３６が設けられている。
【００３０】
図５に示すように、洗剤混合タンク３０は、第１の空間４０と第２の空間５０とを有する。第１の空間４０は、第２の空間５０の上方に位置する。第１の空間４０は、洗剤供給部３４と第２の空間５０との間、および給水部３５と第２の空間５０との間に位置する。第２の空間５０は、第１の空間４０の下方に位置し、第１の空間４０に連続している。
【００３１】
洗剤混合タンク３０の高さ方向（または深さ方向）をＺ方向とする。Ｚ方向は、洗剤混合タンク３０が設置された状態における鉛直方向に対応する。Ｚ方向に直交し、且つ互いに直交する２方向をＸ方向およびＹ方向とする。
【００３２】
第１の空間４０は、水平な底部４１を有する。第２の空間５０は、底部５２と、側壁５３と、傾斜面５１とを有する。第１の空間４０の底部４１と、第２の空間５０の傾斜面５１との間には段差が形成され、第２の空間５０の傾斜面５１は、側壁５３を介して、第１の空間４０の底部４１と連続している。
【００３３】
１対の傾斜面５１が第２の空間５０の底部５２をＸ方向に挟んで位置し、それぞれの傾斜面５１はケース３１のＸ方向の両端から底部５２に向かって下方傾斜している。すなわち、傾斜面５１は、第２の空間５０内において上方から下方に向かって下方傾斜している。
【００３４】
第１の空間４０の水平断面積の最大値は、第２の空間５０の水平断面積の最大値よりも大きい。第２の空間５０の全体の容積は、第１の空間４０の全体の容積よりも小さい。
【００３５】
液体流出部３６は、第２の空間５０の底部５２に直接通じている。したがって、洗剤混合タンク３０内に供給された液体はすべて第２の空間５０の底部５２を介して洗浄流路２１に流出する。
【００３６】
洗剤混合タンク３０内には、洗剤混合タンク３０内の液体の水位を検知する水位検知手段６０が設けられている。水位検知手段６０は、例えば磁石を内蔵したフロート６２と、ステム６１内に設けられたリードスイッチとの組み合わせにより水位を検知する。洗剤混合タンク３０内の水位の変化に伴ってフロート６２がステム６１に沿って上下動してフロート６２の位置が変化することで、洗剤混合タンク３０内の水位が検知される。
【００３７】
ステム６１は、フロート６２を貫通して、第２の空間５０の底部５２からＺ方向に沿って上方に延びている。ステム６１の上端は蓋３２に支持され、下端は第２の空間５０の底部５２に支持されている。ステム６１の上端部にはストッパ６３が設けられている。ストッパ６３は第１の空間４０に位置する。
【００３８】
フロート６２は、第２の空間５０の底部５２と、第１の空間４０に位置するストッパ６３との間を、ステム６１に沿って上下動することができる。このフロート６２の上下動によって、第２の空間５０のみに貯留された状態の液体の水位、および第２の空間５０を満たしその上の第１の空間４０にも貯留された液体の水位を検知することができる。
【００３９】
ケース３１の側壁にはオーバーフロー流路３３が設けられている。オーバーフロー流路３３は第１の空間４０に通じている。給水部３５は、オーバーフロー流路３３の上端から所定距離（例えば２５ｍｍ）以上離れた上方に位置する。
【００４０】
オーバーフロー流路３３は、外部から洗剤混合タンク３０内への菌の侵入を防ぐ菌侵入手段を有する。例えば、菌侵入防止手段は、オーバーフロー流路３３内に形成された封水ＳＷにより構成されている。
【００４１】
オーバーフロー流路３３の一部に例えばＳ字型に曲げられた封水部３３ａが設けられ、その封水部３３ａに封水ＳＷが溜まることで、オーバーフロー流路３３を通じた外部と洗剤混合タンク３０の内部との間の空気の流通が遮断されている。
【００４２】
本実施形態の浴槽洗浄装置２００は、例えば、予備洗浄、本洗浄、すすぎの３つの動作モードを実行可能である。
【００４３】
まず、図６（ａ）〜図７を参照して、予備洗浄について説明する。
【００４４】
図６（ａ）は、空の状態の洗剤混合タンク３０内に水Ｗの給水が開始された状態を表す。給水弁２２を開くことで、給水源ＷＳから給水流路２４を通じて洗剤混合タンク３０内に水Ｗの給水が開始される。
【００４５】
洗剤混合タンク３０内に水Ｗが貯留されていき、その水Ｗの水位の上昇に伴ってフロート６２が上昇する。図６（ｂ）に示すように、予め設定された第１の水位Ｌ１に対応するフロート６２の上端位置（第１位置）が検知されると、給水弁２２が閉じられ、洗剤混合タンク３０内への給水が一旦停止される。
【００４６】
給水の一旦停止後、ポンプ１８が駆動され、洗剤混合タンク３０内に貯留された水Ｗは、液体流出部３６および洗浄流路２１を流れて、洗浄ノズル２５から浴槽１００内に噴射する。浴槽１００の例えば内壁面が、洗浄ノズル２５から噴射する水によって洗浄される（予備洗浄）。この洗浄ノズル２５からの水の噴射に伴って、洗剤混合タンク３０内の水Ｗの水位が第１の水位Ｌ１から低下していく。
【００４７】
この水位低下によりフロート６２の上端位置の検知状態が解除される。この検知解除から、設定秒数経過後に、再び給水弁２２が開かれ、図７に示すように、洗剤混合タンク３０内への水の供給が再開される。水を洗剤混合タンク３０内へ供給しつつ、洗浄ノズル２５からの水の噴射も続けられる。例えば、洗剤混合タンク３０内への給水量が洗浄ノズル２５からの水の噴射量よりも多くなるように制御されつつ、浴槽１００に対する予備洗浄が続けられる。
【００４８】
そして、第１の水位Ｌ１に対応するフロート６２の上端位置が検知されると、給水弁２２が閉じられ、洗剤混合タンク３０内への給水が一旦停止される。この後、水位低下によりフロート６２の上端位置の検知状態が解除されると、再び給水弁２２が開かれ、洗剤混合タンク３０内への水の供給が再開される。このような制御が、所定量の水を浴槽１００内に噴射するまで繰り返される。
【００４９】
所定量の水による予備洗浄が終了し、フロート６２の下端位置が検知されると、その検知から設定秒数経過後にポンプ１８が停止され、洗剤混合タンク３０内を空にする。
【００５０】
この予備洗浄の後、洗剤水を使った本洗浄が実行される。図８（ａ）〜図１０を参照して、本洗浄について説明する。
【００５１】
図８（ａ）は、空の状態の洗剤混合タンク３０内に洗剤Ｃの供給が開始された状態を表す。開閉弁１４を開き、且つポンプ１７を駆動させることで、洗剤タンク１３から洗剤流路１５を通じて洗剤混合タンク３０内に洗剤Ｃの供給が開始される。
【００５２】
洗剤混合タンク３０内に洗剤Ｃが貯留されていき、その洗剤Ｃの水位の上昇に伴ってフロート６２が上昇する。洗剤Ｃは、第２の空間５０内のみに貯留し、第１の空間４０には貯留されないようにする。したがって、図８（ｂ）に示すように、予め設定された第２の水位Ｌ２に対応するフロート６２の下端位置（第２位置）が検知されると、開閉弁１４が閉じられ、且つポンプ１７が停止され、洗剤混合タンク３０内への洗剤Ｃの供給が停止される。洗剤Ｃは、第２の空間５０内における所定の水位Ｌ２に貯留される。
【００５３】
この後、給水弁２２を開くことで、図９（ａ）に示すように、洗剤混合タンク３０内に水Ｗの給水が開始される。洗剤混合タンク３０内で水Ｗと洗剤Ｃとが混合され、図９（ｂ）に示すように、洗剤水ＣＷが生成される。一定量の洗剤Ｃに対して水Ｗの供給が続けられ、洗剤混合タンク３０内における洗剤水ＣＷの水位が上昇していく。
【００５４】
洗剤水ＣＷの水位上昇に伴ってフロート６２が上昇する。そして、第１の水位Ｌ１に対応するフロート６２の上端位置が検知されると、給水弁２２が閉じられ、洗剤混合タンク３０内への水Ｗの供給が停止される。洗剤混合タンク３０内に、所定量の洗剤水ＣＷが貯留される。
【００５５】
この後、ポンプ１８が駆動され、洗剤混合タンク３０内に貯留された洗剤水ＣＷは、液体流出部３６および洗浄流路２１を流れて、洗浄ノズル２５から浴槽１００内に噴射する。浴槽１００の例えば内壁面が、洗浄ノズル２５から噴射する洗剤水によって洗浄される（本洗浄）。
【００５６】
この洗浄ノズル２５からの洗剤水の噴射に伴って、図１０に示すように、洗剤混合タンク３０内の洗剤水ＣＷの水位が第１の水位Ｌ１から低下していく。本洗浄開始から例えば所定時間後に、一旦洗浄ノズル２５からの洗剤水ＣＷの噴射を停止する。この噴射が停止している間に、浴槽１００の内壁面に洗剤水を広げ、また汚れに洗剤水を浸透させることができる。時間制御ではなく、水位検知手段６０による水位検知によって洗剤水の噴射停止タイミングを決定してもよい。
【００５７】
そして、再び洗浄ノズル２５からの洗剤水の噴射を開始する。そのまま、洗剤混合タンク３０内に残っている洗剤水を使い切ってもよいし、再び噴射を一旦停止して、洗剤水を浴槽１００の内壁面や汚れに浸透させる時間を確保してもよい。第１の水位Ｌ１まで貯留された所定量の洗剤水を、噴射と噴射停止とを複数回繰り返しながら使い切って本洗浄を行うことができる。または、上記所定量の洗剤水を、噴射を一旦停止することなく連続して噴射し続けて使い切ってもよい。
【００５８】
所定量の洗剤水による本洗浄が終了し、フロート６２の下端位置が検知されると、その検知から設定秒数経過後にポンプ１８が停止され、洗剤混合タンク３０内を空にする。
【００５９】
この本洗浄の後、上記予備洗浄と同じ制御により、洗浄ノズル２５から水が浴槽１００内に噴射され、すすぎモードが実行される。このすすぎモードにより、浴槽１００内に噴射された洗剤水が汚れとともに水によって洗い流される。
なお、洗浄ノズル２５から浴槽１００内に噴射された洗剤水を洗剤混合タンク３０内に回収し、その回収した洗剤水を洗浄ノズル２５から浴槽１００内に再噴射するような構成であってもよい。
【００６０】
前述した第１の水位Ｌ１は例えば満水位に対応し、貯留された液体（水または洗剤水）の水位が第１の水位Ｌ１を越えると、液体はオーバーフロー流路３３に流入する。これにより、洗剤混合タンク３０内の液体が洗剤流路１５や給水流路２４に逆流することを防止できる。
【００６１】
オーバーフロー流路３３における封水部３３ａの下流側の流路は、例えば浴槽と防水パンとの間の空間内、または浴槽とバスエプロンとの間の空間内を下方に向けて延び、オーバーフロー流路３３の下端開口はその空間に通じている。そのような空間は浴室の使用時に高温多湿になり、カビ等の菌が発生しやすい。その菌がオーバーフロー流路３３を通じて洗剤混合タンク３０内に侵入すると、洗剤混合タンク３０内が汚染され、洗剤水も汚染されてしまう。その結果、汚染された洗剤水を浴槽内に散布することになり、浴槽の洗浄効果が得られなくなる。
【００６２】
本実施形態によれば、封水ＳＷにより、オーバーフロー流路３３を通じた外部と洗剤混合タンク３０の内部との間の空気流通が遮断されることで、菌の洗剤混合タンク３０内への侵入を防止できる。この結果、菌で汚染された液体（洗剤水または水）を浴槽内に噴射することを防止できる。
【００６３】
オーバーフロー流路３３の一部を水で塞ぐという簡易な構成により、外部からのオーバーフロー流路３３を通じた洗剤混合タンク３０内への菌の侵入を防止し、洗剤混合タンク３０内が汚染されることを防ぐことができる。
【００６４】
オーバーフロー流路３３は通常時において水が流通する流路ではない。そのため、封水ＳＷとして滞留する水自体が時間の経過とともに汚濁するおそれがある。このため、オーバーフロー流路３３内に封水ＳＷを形成することで外部からの菌の侵入を防止したとしても、その封水ＳＷが水で置換されないと、封水ＳＷが汚れてオーバーフロー流路３３を閉塞してしまいオーバーフロー流路３３の排出性能が低下してしまう。その結果、洗剤混合タンク３０内の洗剤水が洗剤流路１５や給水流路２４に逆流してしまうことが懸念される。
【００６５】
本実施形態によれば、給水流路２４は、図５に模式的に示すように、洗剤混合タンク３０内に水を供給する第１の流路２４ａと、オーバーフロー流路３３に水を供給する第２の流路２４ｂの２つの流路に分岐するように分岐部を備えている。
【００６６】
分岐部は、洗剤混合タンク３０内に設けられてもよいし、洗剤混合タンク３０外に設けられてもよい。すなわち、洗剤混合タンク３０内に第２の流路２４ｂを設けてもよいし、洗剤混合タンク３０外に第２の流路２４ｂを設けてもよい。
【００６７】
図１１は、図５に示す洗剤混合タンク３０における封水ＳＷの置換動作を模式的に表す断面図である。
【００６８】
この例によれば、第２の空間５０および第１の空間４０には水を貯留せずに、第２の流路２４ｂを通じて水をオーバーフロー流路３３に流入させることができる。その流入した水でオーバーフロー流路３３内の封水ＳＷを置換し、清潔な状態に保つことができる。その結果、洗剤混合タンク３０内への菌の侵入を防止しつつ、オーバーフロー流路３３の排出性能の低下を抑制することができる。
【００６９】
図１２は、実施形態の洗剤混合タンク３０における封水ＳＷの置換動作の他の例を模式的に表す断面図である。
【００７０】
この例では、第２の空間５０さらにその上方の第１の空間４０内に水を溜める際に、所定量（望ましくは封水ＳＷのすべてを置換できる量）の水を、第１の空間４０からオーバーフローさせてオーバーフロー流路３３へ供給する。
【００７１】
図１に示す制御部２０は、給水流路２４を介して洗剤混合タンク３０内に給水する際に、給水弁２２およびポンプ１８を制御することで所定量の水をオーバーフローさせてオーバーフロー流路３３へ供給する。
【００７２】
例えば、制御部２０は、給水流路２４からの給水量を一定にしつつ、その給水量が洗浄ノズル２５への供給量よりも多くなるように、給水弁２２およびポンプ１８を制御して、水の水位を満水位Ｌ１よりも高くして、水をオーバーフロー流路３３にオーバーフローさせる。
【００７３】
または、制御部２０は、例えば電磁弁である供給弁１９を閉じ、給水弁２２を開く制御を行って、水の水位を満水位Ｌ１よりも高くして、水をオーバーフロー流路３３にオーバーフローさせる。
【００７４】
図１２に示す例によれば、給水源ＷＳからの水の給水時にオーバーフロー流路３３内にも水を流入させることができる。その流入した水でオーバーフロー流路３３内の封水ＳＷを置換し、清潔な状態に保つことができる。その結果、洗剤混合タンク３０内への菌の侵入を防止しつつ、オーバーフロー流路３３の排出性能の低下を抑制することができる。
【００７５】
図１３は、実施形態の洗剤混合タンク３０における封水ＳＷの置換動作のさらに他の例を模式的に表す断面図である。
【００７６】
図１３に示す例では、給水流路２４に給水調整弁７１が設けられ、洗浄流路２１に供給調整弁７２が設けられている。給水調整弁７１は給水流路２４の開度を調整可能であり、供給調整弁７２は洗浄流路２１の開度を調整可能である。
【００７７】
制御部２０は、給水流路２４を介して洗剤混合タンク３０内に給水する際に、例えば給水流路２４の開度が洗浄流路２１の開度よりも大きくなるように、給水調整弁７１および供給調整弁７２を制御することで、所定量の水をオーバーフローさせてオーバーフロー流路３３へ供給する。
【００７８】
図１３に示す例においても、給水源ＷＳからの水の給水時にオーバーフロー流路３３内にも水を流入させることができる。その流入した水でオーバーフロー流路３３内の封水ＳＷを置換し、清潔な状態に保つことができる。その結果、洗剤混合タンク３０内への菌の侵入を防止しつつ、オーバーフロー流路３３の排出性能の低下を抑制することができる。
【００７９】
また、給水流路２４の流路径を洗浄流路２１の流路径よりも大きくすることで、給水流路２４から洗剤混合タンク３０内への水の給水量が、洗剤混合タンク３０から洗浄流路２１への水の供給量よりも多くなるようにして、水の水位を満水位Ｌ１よりも高くして、水をオーバーフロー流路３３にオーバーフローさせることもできる。
【００８０】
以上、具体例を参照しつつ本発明の実施形態について説明した。しかし、本発明は、それらに限定されるものではなく、本発明の技術的思想に基づいて種々の変形が可能である。
【符号の説明】
【００８１】
１００…浴槽、２００…浴槽洗浄装置、１３…洗剤タンク、１５…洗剤流路、１９…供給弁、２０…制御部、２１…洗浄流路、２２…給水弁、２４…給水流路、２４ａ…第１の流路、２４ｂ…第２の流路、２５…洗浄ノズル、３０…洗剤混合タンク、３３…オーバーフロー流路、３３ａ…封水部、４０…第１の空間、５０…第２の空間、６０…水位検知手段、６２…フロート、７１…給水調整弁、７２…供給調整弁
【図１】
2020069065.tif 000003
【図２】
2020069065.tif 000004
【図３】
2020069065.tif 000005
【図４】
2020069065.tif 000006
【図５】
2020069065.tif 000007
【図６】
2020069065.tif 000008
【図７】
2020069065.tif 000009
【図８】
2020069065.tif 000010
【図９】
2020069065.tif 000011
【図１０】
2020069065.tif 000012
【図１１】
2020069065.tif 000013
【図１２】
2020069065.tif 000014
【図１３】
2020069065.tif 000015